(57)【要約】【課題】ＵＥ（ユーザー端末）がＣＥＬＬ＿ＤＣＨ（セル専用チャネル）状態に入ったときに機能パラメータを誤って起動することによるシステムエラーを回避するために、無線通信システムのＵＥにおいてＤＬ  ＤＲＸ（ダウンリンク不連続受信）機能を管理する方法及び装置を提供する。【解決手段】方法は、ＲＲＣ（無線資源制御）接続確立プロセスを起動し、ＲＲＣ接続を確立するようにネットワークに要求する段階と、特定のＲＲＣ状態に入るようにＵＥに指示する第一ＩＥと、ＤＬ  ＤＲＸ機能のパラメータ設定を提供する第二ＩＥとを含んだ要求受入メッセージを受信する段階と、前記特定のＲＲＣ状態が無線資源専用のＲＲＣ状態であれば、第二ＩＥを無視する段階とを含む。【選択図】図４
2008301491.tif 000002
【特許請求の範囲】
【請求項１】
無線通信システムのＵＥ（ユーザー端末）においてページング機能に用いられるダウンリンク不連続受信（ＤＬ  ＤＲＸ）機能を管理する方法であって、
ＲＲＣ（無線資源制御）接続確立プロセスを起動し、ＲＲＣ接続を確立するようにネットワークに要求する段階と、
特定のＲＲＣ状態に入るようにＵＥに指示する第一ＩＥと、ＤＬ  ＤＲＸ機能のパラメータ設定を提供する第二ＩＥとを含んだ要求受入メッセージを受信する段階と、
前記特定のＲＲＣ状態が無線資源専用のＲＲＣ状態であれば、第二ＩＥを無視する段階とを含む、ＤＬ  ＤＲＸ機能の管理方法。
【請求項２】
前記ＲＲＣ接続確立プロセスを起動し、ＲＲＣ接続を確立するようにネットワークに要求する段階では、ＲＲＣ接続要求メッセージを送信する、請求項１に記載のＤＬ  ＤＲＸ機能の管理方法。
【請求項３】
前記要求受入メッセージは、ＲＲＣ接続セットアップメッセージであり、前記第一ＩＥはＲＲＣ状態指示ＩＥであり、前記第二ＩＥはＵＴＲＡＮ  ＤＲＸサイクル長係数ＩＥである、請求項１に記載のＤＬ  ＤＲＸ機能の管理方法。
【請求項４】
前記無線資源専用のＲＲＣ状態は、ＣＥＬＬ＿ＤＣＨ（セル専用チャネル）状態である、請求項１に記載のＤＬ  ＤＲＸ機能の管理方法。
【請求項５】
前記ＤＬ  ＤＲＸ機能はＣＥＬＬ＿ＰＣＨ（セルページングチャネル）状態とＵＲＡ＿ＰＣＨ（ＵＴＲＡＮ登録領域ページングチャネル）状態に適用される、請求項１に記載のＤＬ  ＤＲＸ機能の管理方法。
【請求項６】
無線通信システムにおいてページング機能に用いられるＤＬ  ＤＲＸ機能を管理するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
ＲＲＣ接続確立プロセスを起動し、ＲＲＣ接続を確立するようにネットワークに要求するコードと、
特定のＲＲＣ状態に入るように通信装置に指示する第一ＩＥと、ＤＬ  ＤＲＸ機能のパラメータ設定を提供する第二ＩＥとを含んだ要求受入メッセージを受信するコードと、
前記特定のＲＲＣ状態が無線資源専用のＲＲＣ状態であれば、第二ＩＥを無視するコードとを含む、通信装置。
【請求項７】
前記ＲＲＣ接続確立プロセスを起動し、ＲＲＣ接続を確立するようにネットワークに要求するコードでは、ＲＲＣ接続要求メッセージを送信する、請求項６に記載の通信装置。
【請求項８】
前記要求受入メッセージは、ＲＲＣ接続セットアップメッセージであり、前記第一ＩＥはＲＲＣ状態指示ＩＥであり、前記第二ＩＥはＵＴＲＡＮ  ＤＲＸサイクル長係数ＩＥである、請求項６に記載の通信装置。
【請求項９】
前記無線資源専用のＲＲＣ状態は、ＣＥＬＬ＿ＤＣＨ状態である、請求項６に記載の通信装置。
【請求項１０】
前記ＤＬ  ＤＲＸ機能はＣＥＬＬ＿ＰＣＨ状態とＵＲＡ＿ＰＣＨ状態に適用される、請求項６に記載の通信装置。
【発明の詳細な説明】
【技術分野】
【０００１】
本発明は無線通信システムにおいてダウンリンク不連続受信機能を管理する方法及び装置に関し、特にＵＥ（ユーザー端末）でＲＲＣ（無線資源制御）プロセスの実行時にダウンリンク不連続受信機能を管理する方法及び装置に関する。
【背景技術】
【０００２】
第三世代移動通信システム（ＵＭＴＳ）はＷＣＤＭＡ（広帯域多元分割接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。第三世代移動通信システムを利用すれば、動画鑑賞、電話会議、オンラインゲーム、オンラインミュージック再生、電子メールを楽しむことができる。もっとも、これらの機能は迅速かつ実時間のデータ送信機能に頼る。帯域幅の利用効率とパケットデータの処理効率を向上させ、上り・下りの送信速度を改善するために、第三世代移動通信システムに対して、従来の技術ではＨＳＤＰＡ（高速ダウンリンクパケットアクセス）とＨＳＵＰＡ（高速アップリンクパケットアクセス）を導入した。
【０００３】
３ＧＰＰ（第三世代パートナーシッププロジェクト）が制定した通信プロトコル仕様によれば、ＲＲＣ（無線資源制御）は、ＵＥとＵＴＲＡＮ（ＵＭＴＳ地上無線アクセスネットワーク）のＲＮＣ（無線ネットワークコントローラー、以下にネットワークと略する）との間の第三層プロトコルに属する。ＲＲＣ層には複数のＲＲＣプロセスが定義され、これらのプロセスはＲＲＣメッセージと情報要素（ＩＥ）を通して実行される。また、ＲＲＣ層には、ＵＥによる無線トランスポートチャネル資源の利用状況を示す複数のＲＲＣ状態が定義されている。ＲＲＣ接続の確立状態により、ＲＲＣ状態はアイドリングモードとＲＲＣ接続モードに大別される。ＲＲＣ接続モードは更にＣＥＬＬ＿ＤＣＨ（セル専用チャネル）状態、ＣＥＬＬ＿ＦＡＣＨ（セルフォワードアクセスチャネル）状態、ＣＥＬＬ＿ＰＣＨ（セルページングチャネル）状態、ＵＲＡ＿ＰＣＨ（ＵＴＲＡＮ登録領域ページングチャネル）状態に分けられる。ＣＥＬＬ＿ＤＣＨ状態では、ＵＥは他ＵＥと無線資源を共用せず、独立した無線資源を使用する。ＣＥＬＬ＿ＰＣＨ／ＵＲＡ＿ＰＣＨ状態では、ＵＥはネットワークからページングまたはブロードキャスト情報のみ受信し、データ伝送を実行しない。
【０００４】
前記通信プロトコル仕様ではダウンリンク不連続受信（ＤＬ  ＤＲＸ）機能を提供している。ＤＬ  ＤＲＸ機能は、電力消費を減少するために、ＣＥＬＬ＿ＰＣＨ／ＵＲＡ＿ＰＣＨ状態のＵＥに対して特定の状況にのみページング情報を受信することを許容する。ＤＬ  ＤＲＸ機能は２種類の受信モード（以下に第一受信モードと第二受信モードと称する）を有し、両受信モードはそれぞれ第一ＤＲＸサイクル長係数ＩＥと第二ＤＲＸサイクル長係数ＩＥで設定される。後者はより良好なページング効率を有する。両ＩＥはいずれもＵＴＲＡＮ  ＤＲＸサイクル長係数（ＵＴＲＡＮ  ＤＲＸ  Ｃｙｃｌｅ  Ｌｅｎｇｔｈ  Ｃｏｅｆｆｉｃｉｅｎｔ）ＩＥで運ばれ、同ＩＥは他にも、第二ＤＲＸサイクル期間（Ｔｉｍｅ  ｆｏｒ  ＤＲＸ  ｃｙｃｌｅ  ２）ＩＥを含む。
【０００５】
また、ＤＬ  ＤＲＸ機能の利用時、ＵＥは受信モードを切り替えるためにタイマーＴ３１９を利用する。一般に、ＣＥＬＬ＿ＰＣＨ／ＵＲＡ＿ＰＣＨ状態に入った後、ＵＥはタイマーＴ３１９を起動して第二受信モードを実行し、第二ＤＲＸサイクル期間ＩＥに基づいてタイマー時間を設定する。タイマーＴ３１９の満了後、ＵＥは第一受信モードに変更する。言い換えれば、ネットワークがタイマーＴ３１９の時間を超えてもＵＥをページングしない場合、電力を節減するために、ＵＥはより遅いページング機能に自動的に変更する。
【０００６】
一方、アイドリングモードのＵＥは、ＲＲＣ接続を確立しようとするときには、ＲＲＣ接続確立プロセスを起動する。ＲＲＣ接続確立プロセスでは、まずＵＥがＲＲＣ接続要求メッセージをネットワークに送信し、その後ネットワークがＲＲＣ接続セットアップメッセージを返送して接続要求を受け入れ、最後にＵＥがＲＲＣ接続セットアップメッセージに基づいて関連の設定を行ってから、ＲＲＣ接続セットアップ完了メッセージをネットワークに返送する。
【０００７】
前記ＲＲＣセットアップメッセージは、ＵＥがＲＲＣ接続モードの所定状態に入ることを示すＲＲＣ状態指示ＩＥの他に、前記ＵＴＲＡＮ  ＤＲＸサイクル長係数ＩＥを含む。したがって、所定状態がＣＥＬＬ＿ＤＣＨまたはＣＥＬＬ＿ＰＣＨ／ＵＲＡ＿ＰＣＨの場合、ＵＥはＵＴＲＡＮ  ＤＲＸサイクル長係数ＩＥの設定に基づいてタイマーＴ３１９を起動する。このとき、ＣＥＬＬ＿ＰＣＨ／ＵＲＡ＿ＰＣＨ状態のＵＥは第二受信モードでページング情報を受信する。しかし、ＣＥＬＬ＿ＤＣＨ状態のＵＥには前記ＤＬ  ＤＲＸ機能が適用されない。言い換えれば、タイマーＴ３１９が不適切な状況で起動されるので、ＵＥにシステムエラーが発生するおそれがある。
【発明の開示】
【発明が解決しようとする課題】
【０００８】
本発明は、ＵＥがＣＥＬＬ＿ＤＣＨ状態に入ったときに機能パラメータを誤って起動することによるシステムエラーを回避するために、無線通信システムのＵＥにおいてＤＬ  ＤＲＸ機能を管理する方法及び装置を提供することを課題とする。
【課題を解決するための手段】
【０００９】
本発明では、無線通信システムのＵＥ（ユーザー端末）においてページング機能に用いられるダウンリンク不連続受信（ＤＬ  ＤＲＸ）機能を管理する方法を掲示する。当該方法は、ＲＲＣ（無線資源制御）接続確立プロセスを起動し、ＲＲＣ接続を確立するようにネットワークに要求する段階と、特定のＲＲＣ状態に入るようにＵＥに指示する第一ＩＥと、ＤＬ  ＤＲＸ機能のパラメータ設定を提供する第二ＩＥとを含んだ要求受入メッセージを受信する段階と、前記特定のＲＲＣ状態が無線資源専用のＲＲＣ状態であれば、第二ＩＥを無視する段階とを含む。
【００１０】
本発明では更に、無線通信システムにおいてページング機能に用いられるＤＬ  ＤＲＸ機能を管理するための通信装置を提供する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、ＲＲＣ接続確立プロセスを起動し、ＲＲＣ接続を確立するようにネットワークに要求するコードと、特定のＲＲＣ状態に入るように通信装置に指示する第一ＩＥと、ＤＬ  ＤＲＸ機能のパラメータ設定を提供する第二ＩＥとを含んだ要求受入メッセージを受信するコードと、前記特定のＲＲＣ状態が無線資源専用のＲＲＣ状態であれば、第二ＩＥを無視するコードとを含む。
【発明を実施するための最良の形態】
【００１１】
かかる方法及び装置の特徴を詳述するために、具体的な実施例を挙げ、図を参照にして以下に説明する。
【００１２】
図１を参照する。図１は無線通信システム１０を表す説明図である。無線通信システム１０は望ましくは第三世代移動通信システムの高速パケットアクセスシステムであって、概してネットワークと複数のＵＥ（ユーザー端末）を含む。図１では、ネットワークとＵＥは無線通信システム１０の構造を説明するに用いられ、実際、ネットワークは要求に応じて複数の基地局、ＲＮＣ（無線ネットワークコントローラー）を含みうる。ＵＥは携帯電話またはコンピュータシステムなどの装置である。
【００１３】
図２を参照する。図２は無線通信装置１００のブロック図である。無線通信装置１００は図１に示すＵＥを実施するものである。説明を簡潔にするために、図２では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００１４】
図３を参照する。図３は図２に示すプログラムコード１１２を表す説明図である。プログラムコード１１２はアプリケーション層２００と、第三層２０２と第二層２０６を備え、第一層２１８と接続されている。第三層２０２に設けられるＲＲＣエンティティー２２２は、ＲＲＣプロセスを通して基地局またはＵＴＲＡＮとＲＲＣメッセージを交換し、メッセージの中のＩＥに基づいて第一層２１８と第二層２０６の動作を設定する。なお、ＲＲＣエンティティー２２２は無線通信装置１００をアイドリングモード、ＣＥＬＬ＿ＰＣＨ状態、ＵＲＡ＿ＰＣＨ状態、ＣＥＬＬ＿ＦＡＣＨ状態、またはＣＥＬＬ＿ＤＣＨ状態に切り替えることができる。
【００１５】
無線通信装置１００はＣＥＬＬ＿ＰＣＨ／ＵＲＡ＿ＰＣＨ状態でのＤＬ  ＤＲＸ機能を有し、その関連のパラメータとしては、サイクルモード間でＤＲＸ機能を切り替えるためのタイマーＴ３１９がある。それに鑑みて、本発明の実施例では、ＵＥがＣＥＬＬ＿ＤＣＨ状態に入った後にタイマーＴ３１９を誤って起動するのを回避するために、前記プログラムコード１１２にＤＲＸ機能管理プログラムコード２２０を設ける。図４を参照する。図４は本発明による方法３０のフローチャートである。下記方法３０は無線通信システムのＵＥにおいてページング機能に用いられるＤＲＸ機能を管理するために用いられ、ＤＲＸ機能管理プログラムコード２２０としてコンパイルすることができる。
【００１６】
ステップ３００：開始。
ステップ３０２：ＲＲＣ接続確立プロセスを起動し、ＲＲＣ接続を確立するようにネットワークに要求する。
ステップ３０４：特定のＲＲＣ状態に入るようにＵＥに指示する第一ＩＥと、ＤＬ  ＤＲＸ機能のパラメータ設定を提供する第二ＩＥとを含んだ要求受入メッセージを受信する。
ステップ３０６：前記特定のＲＲＣ状態が無線資源専用のＲＲＣ状態であれば、第二ＩＥを無視する。
ステップ３０８：終了。
【００１７】
以上のように、ＵＥでＲＲＣ接続確立プロセスを起動した後、受信した要求受入メッセージの中で、第一ＩＥが無線資源専用のＲＲＣ状態に入るようにＵＥに指示するものであれば、本発明の実施例ではＤＬ  ＤＲＸ機能のパラメータ設定を提供する第二ＩＥを無視する。望ましくは、要求受入メッセージはＲＲＣ接続セットアップメッセージであり、第一ＩＥはＲＲＣ状態指示ＩＥであり、第二ＩＥはＵＴＲＡＮ  ＤＲＸサイクル長係数ＩＤである。したがって、アイドリングモードでＲＲＣ接続確立プロセスを起動するとき、ＵＥはＲＲＣ接続要求メッセージを送信して、ＲＲＣ接続を確立するようにネットワークに求める。その後、ＵＥはネットワークからＲＲＣ接続セットアップメッセージを受信し、ＲＲＣ状態指示ＩＥからプロセス完成後に入るべきＲＲＣ状態を取得する。プロセス完成後に入るべきＲＲＣ状態がＣＥＬＬ＿ＤＣＨであれば、ＵＥはＵＴＲＡＮ  ＤＲＸサイクル長係数ＩＥを無視する。そうすると、タイマーＴ３１９は起動されない。
【００１８】
まとめていえば、本発明の実施例では、ＤＬ  ＤＲＸ機能に関するＩＥを受信し、同ＩＥがＣＥＬＬ＿ＤＣＨ状態に入るように指示すれば、ＵＥは関連のＩＥ設定を無視することで、システムエラーを防止する。
【００１９】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２０】
【図１】無線通信システムを表す説明図である。
【図２】無線通信装置のブロック図である。
【図３】図３に示すプログラムコードを表す説明図である。
【図４】本発明による方法のフローチャートである。
【符号の説明】
【００２１】
１０  無線通信システム
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  ＤＲＸ機能管理プログラムコード
２２２  ＲＲＣエンティティー
【図１】
2008301491.tif 000003
【図２】
2008301491.tif 000004
【図３】
2008301491.tif 000005
【図４】
2008301491.tif 000006